(57)【特許請求の範囲】
【請求項１】
押入れの物品収納部に物品を出入りするための物品収納用装置であって、
中空に形成され、前記押入れの上段の物品収納部に取り付けられた一対の支柱と、
前記支柱内に上下方向に移動可能に設けられた一対のスライド杆と、
前記一対のスライド杆の一方の端部に取り付けられ、物品を載置する物品載置部と、
前記一方のスライド杆の他方の端部に取り付けられた第１のワイヤと、
前記他方のスライド杆の他方の端部に取り付けられた第２のワイヤと、
前記第１のワイヤを下側から上側に向かって回転させるように巻き付けるとともに、前記第２のワイヤを上側から下側に向かって回転させるように巻き付けて、前記第１のワイヤ及び前記第２のワイヤを同時に巻き取り、前記スライド杆を上下動させる電動の巻取部とを有し、
前記物品載置部は、基端部が前記物品収納部側に配置され、前記一対のスライド杆の下部に設けられた蝶番を支点として、先端部が前記物品収納部の外側に離れて水平方向に向かった水平状態と垂直上方向に向かった垂直状態とになるように回動可能に取り付けられた昇降用ベース板を備えており、
前記昇降用ベース板と前記一対のスライド杆とには前記昇降用ベース板の回動に応じて伸縮可能な支持アームがそれぞれ枢着されており、
前記支柱には、前記支持アームの端部が上下方向にスライドできるようにスリットが形成されており、
前記支持アームは、前記昇降用ベース板の側端部に沿って立設されたスライド板に形成されたスライドスリット内をスライドするピンを介して枢着された中空の第１の支持杆と、前記スライド杆に枢着され、前記第１の支持杆内に移動可能に嵌入された中空の第２の支持杆と、前記第２の支持杆に取り付けられ、前記第１の支持杆に形成された第１の開口部に出入りし、前記第２の支持杆を前記第１の支持杆に係止する係止爪と、前記第２の支持杆に取り付けられ、前記係止爪を外側に付勢する第１のスプリングとを有し、
前記昇降用ベース板が垂直状態に回動すると、前記支持アームが縮小して、前記スライドスリットに沿って下方向にスライドする、
ことを特徴とする物品収納用装置。
【請求項２】
前記第１の支持杆と前記第２の支持杆との間には、前記第１の支持杆が前記第２の支持杆の外側に伸びる方向に付勢する第２のスプリングが取り付けられていることを特徴とする請求項１に記載の物品収納用装置。
【請求項３】
前記昇降用ベース板の表面には物品を収納する収納台車の車輪をガイドするガイドレールが形成されていることを特徴とする請求項１又は２に記載の物品収納用装置。
【請求項４】
前記昇降用ベース板の基端部には、前記収納台車の下部に形成された突出部と当接するストッパーが形成されていることを特徴とする請求項３に記載の物品収納用装置。
【請求項５】
前記支柱は角パイプであることを特徴とする請求項１乃至４のいずれか１つの項に記載の物品収納用装置。
【請求項６】
前記支柱には、前記スライド杆が所定位置に達したことを検知手段によって検知すると、前記スライド杆をロックするロック手段を有することを特徴とする請求項１乃至５のいずれか１つの項に記載の物品収納用装置。
【請求項７】
前記ロック手段は、前記スライド杆に形成された係止孔に出入りするロックピンと、前記ロックピンを前記スライド杆側に付勢する付勢部材と、ソレノイドスイッチとを有し、前記ソレノイドスイッチがＯＦＦの時に前記ロックピンを前記付勢部材により付勢してロック状態にし、前記ソレノイドスイッチがＯＮの時に前記ロックピンを電磁力により引っ張り前記ロックピンによるロック状態を解除する、ことを特徴とする請求項６に記載の物品収納用装置。
【請求項８】
前記スライド杆は複数段に伸縮可能に構成されていることを特徴とする請求項１乃至７のいずれか１つの項に記載の物品収納用装置。
【発明の詳細な説明】
【技術分野】
【０００１】
本発明は、例えばクローゼット、キッチンの頭上収納部、天袋の収納部、居間（リビング）の天井裏収納部、棚（本棚や食器棚）等の物品収納部に適用される物品収納用装置に関する。
【背景技術】
【０００２】
一般に、押入れ、クローゼット、キッチンの頭上収納部、天袋の収納部、居間（リビング）の天井裏収納部、棚（本棚や食器棚）等の物品収納部での物品の出し入れや整理を行う場合、踏み台、脚立、梯子等を用いて行うため、足元が不安定な状態での危険な作業になる。
【０００３】
また、押入れの一段目等の低所に収納された物品を出し入れしようとする場合、四つん這いになって、頭を突っ込んで行うため、無理な姿勢での作業になる。
【０００４】
特に高齢者にとっては、上記の作業は、大変困難を伴うものであった。
【０００５】
従来、物品の収納部を上下動させ、物品の出し入れを容易にするための技術として、例えば特許文献１には、昇降可能な収納部を備えたキッチンキャビネットが提案されている（以下、この技術を従来例１という）。
【０００６】
また、特許文献２には、中段をモータにより上下移動させて、布団の出し入れを行うことができる押入れが提案されている（以下、この技術を従来例２という）。
【特許文献１】特開平１１−１０３９５３号公報
【特許文献２】実用新案登録第３０５３３８０号公報
【発明の概要】
【発明が解決しようとする課題】
【０００７】
従来例１では、収納台は昇降機構のワイヤに接続されており、収納台を取っ手で引き下げた後、昇降機構の巻き上げバネ力により元に復帰（上昇）する構成であるので、収納台の移動が不安定であり、収納されている物品等が転落したり破損したりするおそれがあるという課題があった。
【０００８】
また、ワイヤの接続部が中央部の一箇所のみであるので、常に物品の収納はそのスペースに均等でないため、片荷となって不安定であるという課題があった。
【０００９】
従来例２では、押入れ内の中間部にウォームギアを垂直方向に立設しているので、布団の収納する際にウォームギアが邪魔になり、収納性が悪くなるという課題があった。
【００１０】
また、従来例１と同様に片荷の課題があるとともに、奥の方に頭を突っ込んで作業をしなければならないという課題があった。
【００１１】
さらに、床下まで押入れ一段目が下がるので、正常状態に戻した時に床下に無駄な空間が常に必要となるという課題があった。
【００１２】
本発明は、上記課題を解決するためになされたものであり、物品収納部の収納性を損なうことなく、物品を安定して移動させることができる物品収納用装置を提供することを目的とする。
【課題を解決するための手段】
【００１３】
本発明の物品収納用装置は、
中空に形成され、物品収納部に取り付けられた一対の支柱と、
前記支柱内に上下方向に移動可能に設けられた一対のスライド杆と、
前記一対のスライド杆の一方の端部に取り付けられ、物品を載置する物品載置部と、
前記一方のスライド杆の他方の端部に取り付けられた第１のワイヤと、
前記他方のスライド杆の他方の端部に取り付けられた第２のワイヤと、
前記第１のワイヤを下側から上側に向かって回転させるように巻き付けるとともに、前記第２のワイヤを上側から下側に向かって回転させるように巻き付けて、前記第１のワイヤ及び前記第２のワイヤを同時に巻き取り、前記スライド杆を上下動させる電動の巻取部とを有し、
前記物品載置部は、基端部が前記物品収納部側に配置され、前記一対のスライド杆の下部に設けられた蝶番を支点として、先端部が前記物品収納部の外側に離れて水平方向に向かった水平状態と垂直上方向に向かった垂直状態とになるように回動可能に取り付けられた昇降用ベース板を備えており、
前記昇降用ベース板と前記一対のスライド杆とには伸縮可能な支持アームがそれぞれ枢着されており、
前記支柱には、前記支持アームの端部が上下方向にスライドできるようにスリットが形成されており、
前記支持アームは、前記昇降用ベース板の側端部に沿って立設されたスライド板に形成されたスライドスリット内をスライドするピンを介して枢着された中空の第１の支持杆と、前記スライド杆に枢着され、前記第１の支持杆内に移動可能に嵌入された中空の第２の支持杆と、前記第２の支持杆に取り付けられ、前記第１の支持杆に形成された第１の開口部に出入りし、前記第２の支持杆を前記第１の支持杆に係止する係止爪と、前記第２の支持杆に取り付けられ、前記係止爪を外側に付勢する第１のスプリングとを有する、
ことを特徴とするものである。
【００１４】
前記第１の支持杆と前記第２の支持杆との間には、前記第１の支持杆が前記第２の支持杆の外側に伸びる方向に付勢する第２のスプリングが取り付けられていてもよい。
【００１５】
前記昇降用ベース板の表面には物品を収納する収納台車の車輪をガイドするガイドレールが形成されていてもよい。
【００１６】
前記昇降用ベース板の基端部には、前記収納台車の下部に形成された突出部と当接するストッパーが形成されていてもよい。
【００１７】
前記支柱は角パイプであるのが好ましい。
【００１９】
前記支柱には、前記スライド杆が所定位置に達したことを検知手段によって検知すると、前記スライド杆をロックするロック手段を有してもよい。
【００２０】
前記ロック手段は、前記スライド杆に形成された係止孔に出入りするロックピンと、前記ロックピンを前記スライド杆側に付勢する付勢部材と、ソレノイドスイッチとを有し、前記ソレノイドスイッチがＯＦＦの時に前記ロックピンを前記付勢部材により付勢してロック状態にし、前記ソレノイドスイッチがＯＮの時に前記ロックピンを電磁力により引っ張り前記ロックピンによるロック状態を解除するものでもよい。
【００２１】
前記スライド杆は複数段に伸縮可能に構成されていてもよい。
【発明の効果】
【００２２】
本発明によれば、次のような優れた効果を奏する。
（１）物品の出し入れや整理を安定した楽な姿勢で行うことができるので、高齢者であっても上記の作業を容易に行うことができる。
（２）電動の巻取部によって物品載置部を上下動させるので、移動が安定しており、物品の転落や破損を防止できる。
（３）押入れ等の既存の物品収納部にそのまま適用でき、物品収納部の収納性を損なうこともない。
（４）物品を収納ボックス内に入れるので、地震等による物品の外部への飛び出しを防止できる。
【図面の簡単な説明】
【００２３】
【図１】本発明の第１の実施形態例に係る物品収納用装置を示す平面図である。
【図２】本発明の第１の実施形態例に係る物品収納用装置の側面図である。
【図３】巻取部を示す側面図である。
【図４】（Ａ）はスライド杆がロックピンにより支柱に係止されている状態を示す正面断面図、（Ｂ）はロックピンによるロック状態を解除している状態を示す正面断面図である。
【図５】支柱、スライド杆、支持アーム及び昇降用ベース板を示す分解斜視図である。
【図６】（Ａ）は支持アームを示す正面図、（Ｂ）はその側面図、（Ｃ）は係止爪で第２の支持杆を係止している状態を示す斜視図である。
【図７】収納ボックスの一例を示す斜視図である。
【図８】（Ａ）は収納台車を示す側面図、（Ｂ）はその正面図、（Ｃ）はその背面図である。
【図９】収納台車の車輪の位置関係を説明するための説明図である。
【図１０】本発明の第１の実施形態例に係る物品収納用装置を押入れの上段に適用し所定の高さまで降下させた場合を示す正面図である。
【図１１】（Ａ）−（Ｃ）は本発明の第１の実施形態例に係る物品収納用装置の動作を説明するための説明図である。
【図１２】本発明の第２の実施形態例に係る物品収納用装置の外観を示す斜視図である。
【図１３】本発明の第２の実施形態例に係る物品収納用装置を示す側面図である。
【図１４】本発明の第３の実施形態例に係る物品収納用装置を示す斜視図である。
【図１５】（Ａ）は複数段に伸縮可能なスライド杆を示す正面断面図、（Ｂ）は複数段に伸縮可能な補助用スライド杆を示す正面断面図である。
【図１６】物品載置部の下部に取り付けられた脚部を示す正面図である。
【発明を実施するための最良の形態】
【００２４】
以下、本発明の実施の形態について図面を参照して説明する。本発明の物品収納用装置は、例えば押入れ、クローゼット、キッチンの頭上収納部、天袋の収納部、居間（リビング）の天井裏収納部、棚（本棚や食器棚）等の物品収納部に適用されるものである。
【００２５】
図１は本発明の第１の実施形態例に係る物品収納用装置を示す平面図、図２は本発明の第１の実施形態例に係る物品収納用装置の側面図である。
【００２６】
図１及び図２に示すように、本発明の第１の実施形態例に係る物品収納用装置Ｓ１は、中空に形成され、押入れ等の物品収納部に取り付けられた一対の支柱１と、支柱１内に上下方向に移動可能に設けられた一対のスライド杆２と、一対のスライド杆２の一方の端部（下側端部）に取り付けられ、物品を載置する物品載置部３と、一方のスライド杆２の他方の端部（上側端部）に取り付けられた第１のワイヤ４と、他方のスライド杆２の他方の端部（上側端部）に取り付けられた第２のワイヤ５と、第１のワイヤ４及び第２のワイヤ５を同時に巻き取る電動の巻取部６とを有する。
【００２７】
支柱１は、内部のスライド杆２が回転しないように角パイプであるのが好ましい。
【００２８】
巻取部６は第１のワイヤ４を一方側（下側）から他方側（上側）に向かって一方向（図で反時計方向）に回転させるように巻き付けるとともに、第２のワイヤ５を他方側（上側）から一方側（下側）に向かって一方向に回転させるように巻き付けるウィンチ７と、ウィンチ７を回転駆動させるモータ８とを有する。
【００２９】
ウィンチ７を一方向（図で反時計方向）に回転させることにより、第１のワイヤ４及び第２のワイヤ５を巻き取り、一対のスライド杆２を上昇させ、他方向（図で時計方向）に回転させることにより、第１のワイヤ４及び第２のワイヤ５を巻き出し、一対のスライド杆２を下降させる。
【００３０】
図３は巻取部を示す側面図である。図３に示すように、巻取部６のウィンチ７は第１のワイヤ４と第２のワイヤ５とが互いに絡みあわないように、中心部を挟んで第１のワイヤ４巻取用の第１区画７ａと第２のワイヤ５巻取用の第２区画７ｂとに分けられている。
【００３１】
モータ８の電源の入力操作はリモコン（図示せず）により遠隔操作されるのが好ましい。
【００３２】
図４（Ａ）はスライド杆がロックピンにより支柱１に係止されている状態を示す正面断面図、（Ｂ）はロックピンによるロック状態を解除している状態を示す正面断面図である。
【００３３】
図４に示すように、支柱１の上部には、スライド杆２が所定位置に達したことを検知するリミットスイッチ、光センサ等の検知部９（検知手段）と、検知部９によって検知すると、スライド杆２を係止するロック部１０（ロック手段）とを有する。
【００３４】
ロック部１０は、支柱１に形成された係止孔１ａ及びスライド杆２に形成された係止孔２ａに出入りするロックピン１１と、ロックピン１１をスライド杆２側に付勢するスプリング等の付勢部材１２と、ソレノイドスイッチ１３とを有する。ロックピン１１には、ロック状態（図４（Ａ）参照）の時にソレノイドスイッチ１３の端面と当接するストッパー１１ａが形成されている。付勢部材１２は、ストッパー１１ａとロック部１０の内壁との間に取り付けられている。
【００３５】
ソレノイドスイッチ１３がＯＦＦの時には、ロックピン１１を付勢部材１２により付勢してロック状態にし、ソレノイドスイッチ１３がＯＮの時には、ロックピン１１を電磁力により引っ張り、ロックピン１１によるロック状態を解除する。
【００３６】
モータ８の電源とソレノイドスイッチ１３の電源は検知部９と連動して動作される。
【００３７】
すなわち、ソレノイドスイッチ１３のロックピン１１は電源ＯＮで電磁力により引っ張られて、スライド杆２とのロックが外れる。同時にモータ８の電源ＯＮでウィンチ７によるスライド杆２の巻き出し（下ろし）が開始される（図４（Ｂ）参照）。
【００３８】
また、ウィンチ７の巻き上げ終了とともに検知部９を介してウィンチ７の電源がＯＦＦになれば、ソレノイドスイッチ１３の電源もＯＦＦとなり、付勢部材１２によりロックピン１１が押されて、支柱１とスライド杆２がロックされる（図４（Ａ）参照）。同時にモータ８の電源がＯＦＦとなる。
【００３９】
図５は支柱、スライド杆、支持アーム及び昇降用ベース板を示す分解斜視図である。
【００４０】
図５に示すように、物品載置部３は物品を載置するために鉄等の金属で作られた昇降用ベース板１４を備えている。
【００４１】
昇降用ベース板１４は、スライド杆２の下部に設けられたブラケット１５を介して取り付けられた蝶番１６（ヒンジ）を支点として水平状態と垂直状態になるように回動可能に取り付けられている。
【００４２】
スライド杆２と蝶番１６との間には、スライド杆２が上昇したときに蝶番１６が支柱１と干渉しないように干渉防止台１７が設けられている。
【００４３】
支柱１の正面上部にはマグネット１８が取り付けられており、昇降用ベース板１４が垂直状態のときにマグネット１８に磁着され、昇降用ベース板１４の下落を防止することができる。
【００４４】
支柱１の側面には断面略Ｌ字状に形成された取付板１９が取り付けられており、螺子等により押入れ等の物品収納部に支柱１が固定される。
【００４５】
昇降用ベース板１４と各スライド杆２との間には伸縮可能な支持アーム２０が枢着されている。
【００４６】
支柱１の正面には、支持アーム２０の端部が上下方向にスライドできるようにスリット２１が形成されている。
【００４７】
図６（Ａ）は支持アームを示す正面図、（Ｂ）はその側面図、（Ｃ）は係止爪で第２の支持杆を係止している状態を示す斜視図である。
【００４８】
図６（Ａ）及び（Ｂ）に示すように、支持アーム２０は、昇降用ベース板１４の側端部に立設されたスライド板１４ａに形成されたスライドスリット１４ｂ内をスライドするピン２２を介して枢着された中空の第１の支持杆２３と、スライド杆２のブラケット２４の支軸２４ａに枢着され、第１の支持杆２３内に移動可能に嵌入された中空の第２の支持杆２５とを有する。
【００４９】
第１の支持杆２３の先端側側面には一対の第１の開口部２３ａが形成され、第２の支持杆２５の基端側側面には一対の第２の開口部２５ａが形成されている。
【００５０】
第１の開口部２３ａ及び第２の開口部２５ａには、第２の支持杆２５内に固定された支持軸２６に回動可能に取り付けられた一対の係止爪２７が出入り可能に配置されている。
【００５１】
また、支持軸２６には係止爪２７を第１の開口部２３ａ及び第２の開口部２５ａの外側に付勢するキックバックスプリング２８が取り付けられている。これによって、第２の支持杆２５を第１の支持杆２３内で移動できるとともに、第１の開口部２３ａと第２の開口部２５ａが重なった位置で係止爪２７が外側に突き出ることによって、第２の支持杆２５の移動を停止させることができるので、支持アーム２０全体の長さを伸縮させることが可能となる。
【００５２】
なお、図６（Ａ）及び（Ｂ）中、２８ａはピン２２と支持軸２６との間に取り付けられ、第１の支持杆２３が第２の支持杆２５の外側に伸びる方向に付勢するスプリングである。
【００５３】
図７は収納ボックスの一例を示す斜視図である。図７に示すように、収納ボックス２９は上部を開口した箱型のケース３０と、ケース３０の正面側下部に設けられた蝶番３０ａ（ヒンジ）を支点として開閉可能に取り付けられた扉部３１とを有する。
【００５４】
ケース３０の正面側の内側面上部には一対の係止ピン３０ｂが突出して設けられ、扉部３１に回動可能に取り付けられたロック用金具３２の係止凹部３２ａが係止ピン３０ｂに係止され、扉部３１をロックできるようになっている。扉部３１の側部には係止凹部３２ａが回動できるように切欠き部３１ａが形成されている。
【００５５】
また、扉部３１にはロック用金具３２を操作する時に手（又は指）を差し込むための差込部３３が形成されている。
【００５６】
さらに、扉部３１にはロック用金具３２をロックする方向に付勢するためのキックバックスプリング３４が取り付けられている。
【００５７】
図８（Ａ）は収納台車を示す側面図、（Ｂ）はその正面図、（Ｃ）はその背面図、図９は収納台車の車輪の位置関係を説明するための説明図である。
【００５８】
図８（Ａ）−（Ｃ）に示すように、収納ボックス２９を載せる収納台車３５は、方形状の台部３６と、台部３６の底部に設けられた複数（図８では６つ）の車輪３７とを有する。
【００５９】
昇降用ベース板１４の表面には、収納台車３５の車輪３７をガイドするガイドレール３８が形成されている（図５参照）。
【００６０】
車輪３７は、左右方向の中心軸線を挟んで左右に対向する位置に配置されているが、昇降用ベース板１４のガイドレール３８と物品収納部内の内側レール３９（図５参照）との繋ぎ目に左右の車輪３７が同時に嵌り込まないように、図９に示すように、左右のローラーの位置をＬ（例えば２−３ｃｍ）程度に前後方向にずらして配置されるのが好ましい。これによって、ガイドレール３８と内側レール３９上を容易に、繋ぎ目に嵌り込ことなく、移動させることができる。
【００６１】
収納台車３５の台部３６の基端側には下側に向かって突出した突出部３６ａが形成されており（図８（Ｃ）参照）、その突出部３６ａが、昇降用ベース板１４の基端部に上側に向かって突出して形成されたストッパ４０（図５参照）に当接することにより、収納台車３５が手前に出過ぎないように規制することができる。
【００６２】
なお、収納台車３５は電動により移動することができるものでもよい。
【００６３】
次に、本発明の第１の実施形態例に係る物品収納用装置Ｓ１の動作について説明する。
【００６４】
図１０は本発明の第１の実施形態例に係る物品収納用装置Ｓ１を押入れの上段に適用し所定の高さまで降下させた場合を示す正面図、図１１（Ａ）−（Ｃ）は本発明の第１の実施形態例に係る物品収納用装置の動作を説明するための説明図である。
【００６５】
支柱１にマグネット１８（図５参照）によって磁着されている昇降用ベース板１４（図１１（Ａ）参照）を手前に倒す（図１１（Ｂ）参照）。その際、第２の支持杆２５が第１の支持杆２３から出て、かつ、ピン２２がスライド板１４ａのスライドスリット１４ｂ内を手前側にスライドし、更に伸びる方向に付勢するスプリング２８ａの助けを得て、支持アーム２０全体の長さが伸びる。
【００６６】
次いで、収納ボックス２９を載せた収納台車３５を手動又は電動で手前に引き出す。その際、収納台車３５の突出部３６ａが、昇降用ベース板１４のストッパ４０に当接することにより、収納台車３５が手前に出過ぎないように規制される。
【００６７】
次いで、リモコンを操作して、モータ８の電源をＯＮにすると、ソレノイドスイッチ１３のロックピン１１が電磁力により引っ張られて、スライド杆２とのロックが外れ、ウィンチ７によるスライド杆２の巻き出し（下ろし）が開始され、支柱１内のスライド杆２が下降する。これによって、昇降用ベース板１４上の収納台車３５に載せられた収納ボックス２９を所望の高さまで下降させることができる（図１１（Ｃ）参照）。
【００６８】
なお、押入れの下段のように、奥が深くて物品の出入れ、収納、整理が困難な場所においては、昇降用ベース板１４と同様な形態をした折り畳み式ベース板（昇降しないが、ヒンジで折り畳める板）を取り付けてもよい。この場合、折り畳み式ベース板の材質は金属ではなく、合板又はプラスチック等が好ましい。
【００６９】
また、収納ボックス２９は籠のような形状のものでもよい。
【００７０】
収納ボックス２９を載せた収納台車３５を手前に引き出すことにより、床面の高さで物品の出し入れや整理を行うことができる。
【００７１】
また、折り畳みベース板は、下部の畳やフローリングを保護する役割も有する。
【００７２】
本発明の第１の実施形態例に係る物品収納用装置Ｓ１によれば、物品の出し入れや整理を安定した楽な姿勢で行うことができるので、高齢者であっても上記の作業を容易に行うことができる。
【００７３】
また、電動の巻取部６によって物品載置部３である昇降用ベース板１４を上下動させるので、移動が安定しており、物品の転落や破損を防止できる。
【００７４】
また、押入れ等の既存の物品収納部にそのまま適用でき、物品収納部の収納性を損なうこともない。
【００７５】
また、押入れの上段、クローゼットの棚等の高所であって、その下部のスペースが既にそれぞれの目的に使用されていて、物品載置部３をそのまま垂直に降下できない場合であっても、手前に引き出してから降下できるので、スペースを有効活用でき便利である。
【００７６】
さらに、物品を収納ボックス内に入れるので、地震等による物品の外部への飛び出しを防止できる。
【００７７】
図１２は本発明の第２の実施形態例に係る物品収納用装置の外観を示す斜視図、図１３は本発明の第２の実施形態例に係る物品収納用装置を示す側面図である。
【００７８】
図１２及び図１３に示すように、本発明の第２の実施形態例に係る物品収納用装置Ｓ２では、キッチンの頭上収納部等のように、下部に未使用の十分なスペースがある場所に好適である。
【００７９】
物品収納用装置Ｓ２は、中空に形成され、キッチンの頭上収納部、天袋等の物品収納部に取り付けられた１以上（この例では４つ）の補助柱４１と、補助柱４１内に上下方向に移動可能に設けられ、一方の端部に物品載置部３が取り付けられた補助用スライド杆４２とをさらに有する。
【００８０】
補助柱４１は、内部の補助用スライド杆４２が回転しないように角パイプであるのが好ましい。
【００８１】
支柱１、スライド杆２、第１のワイヤ４、第２のワイヤ５、ウィンチ７、モータ８、検知部９、ロック部１０については第１の実施形態例と同様である。
【００８２】
ウィンチ７やモータ８等は天井部分に隠れるように配置されるのが好ましい。
【００８３】
物品載置部３は、スライド杆２及び補助用スライド杆４２に固定された１以上の昇降用ベース板１４を備え、昇降用ベース板１４上に籠状の収納ボックス２９が載せられている。
【００８４】
本発明の第２の実施形態例に係る物品収納用装置Ｓ２によれば、補助柱４１内の補助用スライド杆４２に物品載置部３が取り付けられているので、物品載置部３をより安定して上下動させることができる。
【００８５】
図１４は本発明の第３の実施形態例に係る物品収納用装置を示す斜視図である。
【００８６】
図１４に示すように、本発明の第３の実施形態例に係る物品収納用装置Ｓ３は、天井Ｋの上部に設置されており、天井裏に未使用の空間があり、下部に未使用の十分なスペースがある場所に好適である。
【００８７】
収容時の昇降用ベース板１４は天井Ｋと同一面状になるように配置されており、巻取部６によるワイヤ４及びワイヤ５の巻き取り・巻き出しにより、支柱１内のスライド杆２は天井裏と天井より下方部との間を上下動するとともに、補助柱４１内の補助用スライド杆４２は天井裏と天井より下方部との間を上下動することができる。これによって、昇降用ベース板１４上の収納ボックス２９を天井裏と天井より下方部との間で上下動させることができる。
【００８８】
図１５（Ａ）は複数段に伸縮可能なスライド杆を示す正面断面図、（Ｂ）は複数段に伸縮可能な補助用スライド杆を示す正面断面図である。
【００８９】
図１５（Ａ）に示すように、支柱１内のスライド杆２は、さらに内部に先端スライド杆２ｂを備えており、補助柱４１内の補助用スライド杆４２は、さらに内部に先端補助用スライド杆４２ａを備えており、昇降用ベース板１４の上下動のストロークを長くしている。
【００９０】
なお、スライド杆２及び補助用スライド杆４２を３段以上に伸縮できるように構成して、さらに昇降用ベース板１４の上下動のストロークを長くしてもよい。
【００９１】
図１６は物品載置部３の下部に取り付けられた脚部を示す正面図である。
【００９２】
図１６に示すように、物品載置部３の昇降用ベース板１４の下部に折り畳み可能な脚部４３を取り付けてもよい。この折り畳み可能な脚部４３によって、床からの高さを所望の高さに調整できるので、物品の出し入れや整理の作業性をより向上させることができる。
【００９３】
本発明は、上記実施の形態に限定されることはなく、特許請求の範囲に記載された技術的事項の範囲内において、種々の変更が可能である。
【産業上の利用可能性】
【００９４】
本発明の物品収納用装置は、例えば押入れ、クローゼット、キッチンの頭上収納部、天袋の収納部、居間（リビング）の天井裏収納部、棚（本棚や食器棚）等の物品収納部に用いられる。
【符号の説明】
【００９５】
Ｓ１，Ｓ２，Ｓ３：物品収納用装置
１：支柱１
２：スライド杆
３：物品載置部
４：第１のワイヤ
５：第２のワイヤ
６：巻取部
７：ウィンチ
８：モータ
９：検知部
１０：ロック部
１１：ロックピン
１２：付勢部材
１３：ソレノイドスイッチ
１４：昇降用ベース板
１５：ブラケット
１６：蝶番
１７：干渉防止台
１８：マグネット
１９：取付板
２０：支持アーム
２１：スリット
２２：支軸
２３：第１の支持杆
２４：ブラケット
２５：第２の支持杆
２６：支持軸
２７：係止爪
２８：キックバックスプリング
２９：収納ボックス
３０：ケース
３１：扉部
３２：ロック用金具
３３：差込部
３４：キックバックスプリング
３５：収納台車
３６：台部
３７：車輪
３８：ガイドレール
３９：内側レール
４０：ストッパ
４１：補助柱
４２：補助用スライド杆
４３：脚部
【要約】
【課題】物品収納部の収納性を損なうことなく、物品を安定して移動させることができる物品収納用装置を提供する。
【解決手段】本発明の物品収納用装置Ｓ１は、中空に形成され、押入れ等の物品収納部に取り付けられた一対の支柱１と、支柱１内に上下方向に移動可能に設けられた一対のスライド杆２と、一対のスライド杆２の一方の端部（下側端部）に取り付けられ、物品を載置する物品載置部３と、一方のスライド杆２の他方の端部（上側端部）に取り付けられた第１のワイヤ４と、他方のスライド杆２の他方の端部（上側端部）に取り付けられた第２のワイヤ５と、第１のワイヤ４及び第２のワイヤ５を同時に巻き取る巻取部６とを有する。
【選択図】  図１【図１】
0004739458.tif 000002
【図２】
0004739458.tif 000003
【図３】
0004739458.tif 000004
【図４】
0004739458.tif 000005
【図５】
0004739458.tif 000006
【図６】
0004739458.tif 000007
【図７】
0004739458.tif 000008
【図８】
0004739458.tif 000009
【図９】
0004739458.tif 000010
【図１０】
0004739458.tif 000011
【図１１】
0004739458.tif 000012
【図１２】
0004739458.tif 000013
【図１３】
0004739458.tif 000014
【図１４】
0004739458.tif 000015
【図１５】
0004739458.tif 000016
【図１６】
0004739458.tif 000017